(57)【要約】【課題】サイド接合部の溶着部による肌等への刺激が低減されたパンツ型使い捨ておむつを提供する。【解決手段】このパンツ型使い捨ておむつの左右のサイド接合部３には、複数のアーチ形溶着部２６が上下方向Ｙに沿って配列されており、おむつ基材２の前腹部１１の左右両側の縁部と後背部１２の左右両側の縁部とはそのアーチ形溶着部２６にて溶着されている。各アーチ形溶着部２６は、左右方向Ｘの内方側に向けて凸となるように湾曲した略アーチ形の形状をそれぞれ有している。【選択図】図２
2011147495.tif 000002
【特許請求の範囲】
【請求項１】
パンツ型使い捨ておむつであって、
樹脂製のシート材を備えて構成され、前腹部と後背部とが股部を介して繋がった形状を有するおむつ基材と、
前記おむつ基材の前記前腹部の左右両側の縁部と前記後背部の左右両側の縁部とを前後に重ね合わせた状態で接合する左右のサイド接合部と、
を備え、
前記左右のサイド接合部は、
上下方向に沿って配列され、前記左右方向の内方側に向けて凸となるように湾曲した略アーチ形の形状をそれぞれ有し、前記おむつ基材の前記前腹部の左右両側の前記縁部と前記後背部の左右両側の前記縁部とを溶着する複数のアーチ形溶着部を備えることを特徴とするパンツ型使い捨ておむつ。
【請求項２】
請求項１に記載のパンツ型使い捨ておむつにおいて、
前記左右のサイド接合部の前記複数のアーチ形溶着部は、前記左右方向にずれた位置で前記上下方向に沿って設けられる内側列と外側列とに、１個ずつ又は複数個ずつ交互に振り分けて配列されていることを特徴とするパンツ型使い捨ておむつ。
【請求項３】
請求項１に記載のパンツ型使い捨ておむつにおいて、
前記左右のサイド接合部は、
前記アーチ形溶着部の前記左右方向の外方側において前記上下方向に沿って配列され、前記左右方向に対して略平行又は斜めに延びる略直線状の形状をそれぞれ有し、前記おむつ基材の前記前腹部の左右両側の前記縁部と前記後背部の左右両側の前記縁部とを溶着する複数の線状溶着部をさらに備えることを特徴とするパンツ型使い捨ておむつ。
【発明の詳細な説明】
【技術分野】
【０００１】
本発明は、パンツ型使い捨ておむつに関する。
【背景技術】
【０００２】
従来のパンツ型使い捨ておむつとして、前身頃及び後身頃の左右両側の縁部（サイド接合部）において、前身頃及び後身頃の縁部同士が加熱溶着等によって溶着されたものがある（特許文献１、２）。パンツ型のおむつ形状を形成するおむつ基材の素材としては、柔らかく柔軟性に優れた不織布が一般に使用されるのであるが、溶着が行われた不織布の部分では、不織布が溶着に伴って一時的に溶けて硬化するため、溶着前よりも硬くなる。このため、パンツ型使い捨ておむつでは、溶着により硬くなったサイド接合部の溶着部が着用者の腰周り（特に、腰骨周辺）に押し付けられ、肌等への刺激が強くなり、着用者が違和感を感じる等の問題がある。特に、サイド接合部の溶着部の左右方向の内方側の端部に角がある場合には、その角により肌等への刺激が強くなり易い。
【０００３】
なお、溶着部が硬くなるのを抑制するために、溶着を加熱溶着ではなく超音波溶着によって行う方法があるが、超音波溶着のための設備は加熱溶着に比べて設備コストが嵩み、おむつの製造コストが増大するという問題がある。
【先行技術文献】
【特許文献】
【０００４】
【特許文献１】特許第２５３１９２４号公報
【特許文献１】特開２００２−１０２２８３号公報
【発明の概要】
【発明が解決しようとする課題】
【０００５】
そこで、本発明の解決すべき課題は、サイド接合部の溶着部による肌等への刺激が低減されたパンツ型使い捨ておむつを提供することである。
【課題を解決するための手段】
【０００６】
上記の課題を解決するため、請求項１の発明では、パンツ型使い捨ておむつであって、樹脂製のシート材を備えて構成され、前腹部と後背部とが股部を介して繋がった形状を有するおむつ基材と、前記おむつ基材の前記前腹部の左右両側の縁部と前記後背部の左右両側の縁部とを前後に重ね合わせた状態で接合する左右のサイド接合部とを備え、前記左右のサイド接合部は、上下方向に沿って配列され、前記左右方向の内方側に向けて凸となるように湾曲した略アーチ形の形状をそれぞれ有し、前記おむつ基材の前記前腹部の左右両側の前記縁部と前記後背部の左右両側の前記縁部とを溶着する複数のアーチ形溶着部を備える。
【０００７】
また、請求項２の発明では、請求項１の発明に係るパンツ型使い捨ておむつにおいて、前記左右のサイド接合部の前記複数のアーチ形溶着部は、前記左右方向にずれた位置で前記上下方向に沿って設けられる内側列と外側列とに、１個ずつ又は複数個ずつ交互に振り分けて配列されている。
【０００８】
また、請求項３の発明では、請求項１の発明に係るパンツ型使い捨ておむつにおいて、前記左右のサイド接合部は、前記アーチ形溶着部の前記左右方向の外方側において前記上下方向に沿って配列され、前記左右方向に対して略平行又は斜めに延びる略直線状の形状をそれぞれ有し、前記おむつ基材の前記前腹部の左右両側の前記縁部と前記後背部の左右両側の前記縁部とを溶着する複数の線状溶着部をさらに備える。
【発明の効果】
【０００９】
請求項１に記載の発明に係るパンツ型使い捨ておむつによれば、左右のサイド接合部に複数のアーチ形溶着部が備えられ、そのアーチ形溶着部が、上下方向に沿って配列され、左右方向の内方側に向けて凸となるように湾曲した略アーチ形の形状をそれぞれ有している。このため、サイド接合部の溶着部による肌等への刺激を低減できる。また、アーチ形溶着部が上記のような略アーチ形の形状を有しているため、アーチ形溶着部が溶着により変形した場合であっても、アーチ形溶着部の左右方向の内方側の端部に角が形成されにくい。
【００１０】
請求項２に記載の発明によれば、サイド接合部の複数のアーチ形溶着部は、左右方向にずれた位置で上下方向に沿って設けられる内側列と外側列とに、１個ずつ又は複数個ずつ交互に振り分けて配列されている。このようにアーチ形溶着部を内側列と外側列に振り分けて配列することにより、アーチ形溶着部が１個おき又は複数個おきに内側列に並ぶこととなる。これによって、サイド接合部に設けられるアーチ形溶着部の個数を減らすことなく、着用者の肌等を押圧する内側列のアーチ形溶着部の上下方向の間隔を拡大することができ、サイド接合部の溶着部による肌等への刺激をより低減できる。
【００１１】
請求項３に記載の発明によれば、左右のサイド接合部に、左右方向に対して略平行又は斜めに延びる略直線状の形状をそれぞれ有する複数の線状溶着部が備えられ、その線状溶着部が、アーチ形溶着部の左右方向の外方側において上下方向に沿って配列されている。このように線状溶着部を追加したことにより、アーチ形溶着部を上下方向に大きめの間隔をあけて配列し、アーチ形溶着部の個数を減らしても、サイド接合部の接合強度を十分に確保できる。その結果、着用者の肌等を押圧するアーチ形溶着部の上下方向の間隔を拡大することができ、サイド接合部の溶着部による肌等への刺激をより低減できる。
【図面の簡単な説明】
【００１２】
【図１】本発明の一実施形態に係るパンツ型使い捨ておむつの斜視図である。
【図２】図１のパンツ型使い捨ておむつのサイド接合部を拡大して示す図である。
【図３】図２に示す構成の変形例を示す図である。
【図４】図２に示す構成の他の変形例を示す図である。
【発明を実施するための形態】
【００１３】
図１及び図２を参照し、本発明の一実施形態に係るパンツ型使い捨ておむつ（以下、単に「おむつ」という）の構成について説明する。このおむつ１は、図１及び図２に示すように、おむつ基材２と左右のサイド接合部３とを備えている。なお、図２は着用者を基準として左側のサイド接合部３の構成を拡大して示すものであるが、右側のサイド接合部３も同様な構成を有している。
【００１４】
おむつ基材２は、樹脂製のシート材（例えば、不織布）を備えて構成され、前腹部１１と後背部１２とが股部１３を介して繋がった形状を有している。このおむつ基材２の股部１３には、尿等の排泄液を吸収する図示しない吸収コアが配置される。左右のサイド接合部３では、おむつ基材２の前腹部１１の左右両側の縁部と後背部１２の左右両側の縁部とが前後に重ねあわせた状態で溶着により接合されている。これによって、ウエスト開口１６及び左右の脚穴１７を有するおむつ基材２のパンツ型の形状が得られる。サイド接合部３の溶着には、本実施形態では加熱溶着が用いられるが、超音波溶着を用いてもよい。
【００１５】
おむつ基材２のウエスト開口１６の周りには、ウエストギャザー形成用の前側ウエスト弾性部材１８及び後側ウエスト弾性部材１９が略左右方向Ｘに伸張された状態で付与されている。おむつ基材２の左右の脚穴１７の周りには、レッグギャザー形成用のレッグ弾性部材２０が伸張された状態で付与されている。また本実施形態では、おむつ基材２の肌面側に内装部材２１が付与されており、前記吸収コアはこの内装部材２１に備えられている。
【００１６】
左右のサイド接合部３には、図２に示すように、複数のアーチ形溶着部２６が上下方向Ｙに沿って配列されており、おむつ基材２の前腹部１１の左右両側の縁部と後背部１２の左右両側の縁部とがそのアーチ形溶着部２６にて溶着されている。各アーチ形溶着部２６は、左右方向Ｘの内方側に向けて凸となるように湾曲した略アーチ形の形状をそれぞれ有している。
【００１７】
このため、サイド接合部３のアーチ形溶着部２６による肌等への刺激を低減できる。また、アーチ形溶着部２６が上記のような略アーチ形の形状を有しているため、アーチ形溶着部２６が溶着により変形した場合であっても、アーチ形溶着部２６の左右方向の内方側の端部に角が形成されにくい。これにより、設備コストの低い加熱溶着を用いてサイド接合部３の溶着を行っても、アーチ形溶着部２６の左右方向の内方側の端部に角が形成されにくく、おむつ１０の製造コストを抑制できる。
【００１８】
次に、図３及び図４を参照して、上述のおむつ１のサイド接合部３の変形例について説明する。図３に示す変形例では、左右のサイド接合部３の複数のアーチ形溶着部２６が、左右方向Ｘにずれた位置で上下方向Ｙに沿って設けられる内側列Ｌ１と外側列Ｌ２とに、１個ずつ又は複数個ずつ交互に振り分けて配列されている。このため、内側列Ｌ１に振り分けられたアーチ形溶着部２６と外側列Ｌ２に振り分けられたアーチ形溶着部２６とが、上下方向Ｙに対して１個ずつ又は複数個ずつ交互に並んでいる。図３に示す構成では、アーチ形溶着部２６が内側列Ｌ１と外側列Ｌ２とに上下方向Ｙに交互に１個ずつ振り分けて配列されている。
【００１９】
このようにアーチ形溶着部２６を内側列Ｌ１と外側列Ｌ２に交互に振り分けて配列することにより、アーチ形溶着部２６が１個おき又は複数個おきに内側列Ｌ１に並ぶこととなる。これによって、サイド接合部３に設けられるアーチ形溶着部２６の個数を減らすことなく、着用者の肌等を押圧する内側列Ｌ１のアーチ形溶着部２６の上下方向Ｙの間隔Ｄを拡大することができ、サイド接合部３のアーチ形溶着部２６による肌等への刺激をより低減できる。
【００２０】
図４に示す変形例では、左右のサイド接合部３に、上述のアーチ形溶着部２６に追加して複数の線状溶着部２７が設けられている。複数の線状溶着部２７は、アーチ形溶着部２６の左右方向Ｘの外方側において上下方向Ｙに沿って配列され、左右方向Ｘに対して略平行又は斜めに延びる略直線状の形状をそれぞれ有している。このため、図４に示す構成では、左右のサイド接合部３においておむつ基材２の前腹部１１の左右両側の縁部と後背部１２の左右両側の前記縁部とが、複数のアーチ形溶着部２６及び複数の線状溶着部２７により溶着により接合されている。図４に示す構成では、各線状溶着部２７は、左右方向Ｘに対して略平行に略直線状に延びている。
【００２１】
このようにサイド接合部３に線状溶着部２７を追加したことにより、アーチ形溶着部２６を上下方向Ｙに大きめの間隔Ｄをあけて配列し、アーチ形溶着部２６の個数を減らしても、サイド接合部３の接合強度を十分に確保できる。その結果、着用者の肌等を押圧するアーチ形溶着部２６の上下方向Ｙの間隔Ｄを拡大することができ、サイド接合部３のアーチ形溶着部２６による肌等への刺激をより低減できる。
【符号の説明】
【００２２】
１  おむつ、２  おむつ基材、３  サイド接合部、１１  前腹部、１２  後背部、１３  股部、１６  ウエスト開口、１７  脚穴、１８  前側ウエスト弾性部材、１９  後側ウエスト弾性部材、２０  レッグ弾性部材、２１  内装部材、２６  アーチ形溶着部、２７  線状溶着部、Ｌ１  内側列、Ｌ２  外側列、Ｘ  左右方向、Ｙ  上下方向。
【図１】
2011147495.tif 000003
【図２】
2011147495.tif 000004
【図３】
2011147495.tif 000005
【図４】
2011147495.tif 000006